(57)【要約】【課題】信号形式の不整合を補償する。【解決手段】情報処理装置は、受信処理部および制御部を備える。受信処理部は、入力信号の受信処理を行って情報信号を生成し、変更指示にもとづいて、現在出力している情報信号の信号形式を、別の信号形式に変更して、外付けユニットへ出力する。制御部は、受信処理部から出力された情報信号を受信し、自己で処理することが可能な信号形式を持つ情報信号の信号処理を行う外部から挿入される外付けユニットに対して、信号処理が正常に実行されず、信号処理エラーの発生を認識した場合には、変更指示を送出する。【選択図】図１
2014007446.tif 000002
【特許請求の範囲】
【請求項１】
入力信号の受信処理を行って情報信号を生成し、変更指示にもとづいて、現在出力している前記情報信号の信号形式を、別の信号形式に変更して、外付けユニットへ出力する受信処理部と、
前記受信処理部から出力された前記情報信号を受信し、自己で処理することが可能な信号形式を持つ前記情報信号の信号処理を行う前記外付けユニットに対して、前記信号処理が正常に実行されず、信号処理エラーの発生を認識した場合には、前記変更指示を送出する制御部と、
を有する情報処理装置。
【請求項２】
前記受信処理部は、前記入力信号の伝送路上で生じる伝送エラーの検出処理を行って、検出結果を前記制御部へ通知し、
前記制御部は、前記伝送エラーの検出通知が無く、前記信号処理エラーの発生を認識した場合には、前記受信処理部で出力している前記情報信号の信号形式と、前記外付けユニットで処理可能な信号形式とが不整合であるとみなし、前記変更指示を送出して、前記受信処理部で出力している前記情報信号の信号形式と、前記外付けユニットで処理可能な信号形式との整合を図る請求項１記載の情報処理装置。
【請求項３】
前記制御部は、前記信号処理エラーの発生回数が、あらかじめ定めた所定回数に達した場合に、前記変更指示を送出する請求項１記載の情報処理装置。
【請求項４】
自己で処理することが可能な信号形式を持つ情報信号の信号処理を行う外付けユニットに対して、入力信号の受信処理を行って前記情報信号を生成して前記外付けユニットへ出力し、
前記外付けユニットで前記信号処理が正常に実行されず、信号処理エラーの発生を認識した場合には、変更指示を生成し、
前記変更指示にもとづいて、現在出力している前記情報信号の信号形式を、別の信号形式に変更する信号形式変更方法。
【請求項５】
コンピュータに、
自己で処理することが可能な信号形式を持つ情報信号の信号処理を行う外付けユニットに対して、入力信号の受信処理を行って前記情報信号を生成して前記外付けユニットへ出力し、
前記外付けユニットで前記信号処理が正常に実行されず、信号処理エラーの発生を認識した場合には、変更指示を生成し、
前記変更指示にもとづいて、現在出力している前記情報信号の信号形式を、別の信号形式に変更する、
処理を実行させるプログラム。
【請求項６】
暗号化が施された映像情報を含む変調信号の復調処理を行って、復調信号を生成し、変更指示にもとづいて、現在出力している前記復調信号の信号形式を、別の信号形式に変更して外付けユニットへ出力する復調部と、
前記復調部から出力された前記復調信号を受信し、自己で処理することが可能な信号形式を持つ前記復調信号の暗号化解除を行う前記外付けユニットに対して、前記暗号化解除が正常に実行されなかったことを認識した場合には、前記変更指示を送出する制御部と、
前記外付けユニットからの出力信号の映像処理を行う映像処理部と、
前記映像処理後の映像を表示する表示部と、
を有する映像表示装置。
【請求項７】
前記復調部は、前記変調信号の伝送路上で生じる伝送エラーの検出処理を行って、検出結果を前記制御部へ通知し、
前記映像処理部は、映像処理エラーの検出処理を行って、検出結果を前記制御部へ通知し、
前記制御部は、前記伝送エラーの検出通知が無く、前記映像処理エラーの検出通知があった場合には、前記復調部で出力している前記復調信号の信号形式と、前記外付けユニットで処理可能な信号形式とが不整合であるとみなし、前記変更指示を送出して、前記復調部で出力している前記復調信号の信号形式と、前記外付けユニットで処理可能な信号形式との整合を図る請求項６記載の映像表示装置。
【請求項８】
前記制御部は、前記映像処理エラーの通知回数が、あらかじめ定めた所定回数に達した場合に、前記変更指示を送出する請求項７記載の映像表示装置。
【発明の詳細な説明】
【技術分野】
【０００１】
本技術は、情報処理を行う情報処理装置、信号形式を変更する信号形式変更方法、プログラムおよび映像表示を行う映像表示装置に関する。
【背景技術】
【０００２】
液晶テレビ（ＦＴＶ：flat panel television）に対応した、デジタル衛星放送は、一般的には有料放送となっており、有料デジタル番組にはスクランブルがかけられている（暗号化が施されている）。
【０００３】
このため、欧州モデルなどでは、有料番組のスクランブルを解除するためのカード（ＣＡＭ（Conditional Access Module））が販売され、ＦＴＶには、ＣＡＭのカードを挿入するスロットが設けられている。ＣＡＭは有料番組を契約した際、有料放送事業者から購入する。また、実際にスクランブルを解除するのはＣＡＭに挿入するSmart cardになる。つまり、Smart card（日本のB-CASカードと同じ）をＣＡＭに挿入し、そのＣＡＭをＦＴＶへ挿入する形になる。
【０００４】
ユーザは、視聴したい有料番組の提供者によって供給されているＣＡＭカードを別途購入し、ＦＴＶのスロットに挿入することで、有料番組の視聴を行っている。
【０００５】
従来技術として、受信機に挿入されているＩＣカードでの処理に不具合があり、選局されている有料番組のスクランブルが正常に解除できない場合に、他番組に自動的に切り替える技術が提案されている。
【先行技術文献】
【特許文献】
【０００６】
【特許文献１】特開２００７−２３５２７４号公報
【発明の概要】
【発明が解決しようとする課題】
【０００７】
従来では、有料番組のスクランブルを解除するＣＡＭから出力される信号（ＴＳ（Transport Stream）信号）と、ＦＴＶ内部の復調回路から出力されるＴＳ信号との互いのフォーマットの不整合により、正常な映像や音声を出力することができない場合があった。不整合が生じるところは、ＦＴＶ内部の復調回路から出力されるＴＳ信号（より正確には、復調回路から出力されＣＡＭへ入力されるＴＳ信号）と、このＴＳ信号が入力されるＣＡＭとの間となる。
【０００８】
ＣＡＭは、有料番組を提供する事業者毎に提供され、ＣＡＭによっては、特定のＴＳ信号フォーマットしか受け付けられない場合がある。このため、映像処理部から出力されるＴＳ信号フォーマットが、ＣＡＭで処理可能なＴＳ信号フォーマットで無いと、ＣＡＭの信号処理部でデータ（ＴＳ信号）を壊してしまい、その後、（映像処理部へ戻された）そのＴＳ信号を受信、処理する際に正常な信号処理ができず、結果として映像・音声に異常を生じてしまう。
【０００９】
本技術はこのような点に鑑みてなされたものであり、信号形式の不整合を自動的に補償する情報処理装置、信号形式変更方法、プログラムおよび映像表示装置を提供することを目的とする。
【課題を解決するための手段】
【００１０】
上記課題を解決するために、情報処理装置が提供される。情報処理装置は、受信処理部および制御部を備える。受信処理部は、入力信号の受信処理を行って情報信号を生成し、変更指示にもとづいて、現在出力している情報信号の信号形式を、別の信号形式に変更して、外付けユニットへ出力する。制御部は、受信処理部から出力された情報信号を受信し、自己で処理することが可能な信号形式を持つ情報信号の信号処理を行う外付けユニットに対して、信号処理が正常に実行されず、信号処理エラーの発生を認識した場合には、変更指示を送出する。
【発明の効果】
【００１１】
信号形式の不整合を自動的に補償することが可能になる。
【図面の簡単な説明】
【００１２】
【図１】情報処理装置の構成例を示す図である。
【図２】ＦＴＶの構成例を示す図である。
【図３】映像表示装置の構成例を示す図である。
【図４】ＴＳ信号のフォーマットのパターン例を示す図である。
【図５】ＴＳ信号のフォーマットのパターン例を示す図である。
【図６】ＴＳ信号のフォーマットのパターン例を示す図である。
【図７】ＴＳ信号のフォーマットのパターン例を示す図である。
【図８】ＴＳ信号フォーマット変換の動作を示すフローチャートである。
【図９】本実施の形態に用いるコンピュータのハードウェアの一構成例を示す図である。
【発明を実施するための形態】
【００１３】
以下、実施の形態を図面を参照して説明する。図１は情報処理装置の構成例を示す図である。情報処理装置１は、受信処理部１ａおよび制御部１ｂを備え、外付けユニット２ａが外部から挿入可能な構成になっている。情報処理装置１としては、例えば、一体型（オールインワン（all in one））のＰＣ（Personal Computer）などが該当する。
【００１４】
受信処理部１ａは、入力信号の受信処理を行って情報信号を生成し、変更指示にもとづいて、現在出力している情報信号の信号形式を、別の信号形式に変更して、外付けユニット２ａへ出力する。
【００１５】
外付けユニット２ａは、情報処理装置１に対して外部から挿入される、例えば、カード状のユニットであり、受信処理部１ａから出力された情報信号を受信し、自己で処理することが可能な信号形式を持つ情報信号の信号処理（例えば、暗号化解除など）を行う。
【００１６】
制御部１ｂは、外付けユニット２ａに対して、信号処理が正常に実行されず、信号処理エラーの発生を認識した場合には、変更指示を生成して受信処理部１ａへ送出する。
【００１７】
例えば、図１では、受信処理部１ａは、４つの信号形式＃１〜＃４で情報信号を出力可能とし、外付けユニット２ａでは、信号形式＃３の情報信号のみ信号処理を行うことができるとする。
【００１８】
受信処理部１ａから信号形式＃１を持つ情報信号が外付けユニット２ａへ送信されると、外付けユニット２ａは、信号形式＃３の情報信号に対して信号処理を行うので、信号形式＃１を持つ情報信号に対しては信号処理を行うことができない。
【００１９】
この場合、制御部１ｂは、信号処理エラーの発生を認識し、受信処理部１ａに対して、信号形式の変更指示を与える。受信処理部１ａは、変更指示を受信すると、現在の信号形式＃１を他の信号形式（例えば、信号形式＃２）に変更して出力する。
【００２０】
このような動作が繰り返されることで、受信処理部１ａから送信される情報信号の信号形式と、外付けユニット２ａに設定されている信号形式との整合をとることができる。すなわち、外付けユニット２ａに設定されている信号形式と整合するまで、制御部１ｂから変更指示が出されて、受信処理部１ａでは、情報信号の信号形式を変更して出力するので、図１の場合、最終的に受信処理部１ａから信号形式＃３の情報信号が出力されて整合することになる。このような制御により、信号形式の不整合を自動的に補償することが可能になる。
【００２１】
次に本技術が解決する課題について説明する。なお、以降では、外付けユニット２ａをＣＡＭ２と呼ぶ。また、信号形式をフォーマットとも呼ぶ。図２はＦＴＶの構成例を示す図である。従来のＦＴＶ２００は、ＲＦ（Radio Frequency）チューナ２０１、デジタル復調部２０２、ビデオデコーダ２０３、液晶パネル２０４、制御部（ＣＰＵ：Central Processing Unit）２０５およびアンテナａ１を備えている。
【００２２】
アンテナａ１で受信された電波信号は、ＲＦチューナ２０１に入力する。ＲＦチューナ２０１は、アンテナａ１での受信信号をダウンコンバートし、チューニングされている所望のチャンネルの信号を選択して出力する。
【００２３】
デジタル復調部２０２は、ＲＦチューナ２０１からの出力信号をデジタル復調して、ＴＳ信号を生成する。そして、ＴＳ信号をＦＴＶ２００のスロット（図示せず）に挿入されているＣＡＭ２へ向けて出力する。
【００２４】
放送番組信号であるＴＳ信号には、スクランブルがかけられているので、ＣＡＭ２は、デジタル復調部２０２から送信されたＴＳ信号を受信すると、デスクランブル（暗号化解除）を行う。デスクランブル後のＴＳ信号は、ビデオデコーダ２０３へ送信される。
【００２５】
ビデオデコーダ２０３は、ＣＡＭ２から出力されたＴＳ信号をデコードし、液晶パネル２０４は、デコードされた映像信号を表示する。制御部２０５は、デジタル復調部２０２およびビデオデコーダ２０３などの装置内の各構成要素の制御を行う。
【００２６】
ここで、デジタル復調部２０２から出力されるＴＳ信号のフォーマットと、ＣＡＭ２で処理することができるＴＳ信号のフォーマットとが一致しない場合は、ＣＡＭ２の内部でＴＳ信号が破壊されてしまうことがある。この場合、正常な映像や音声をユーザは視聴することができなくなる。また、ＣＡＭ２は、比較的古い技術のまま設計されていることもあり、ＣＡＭ２によっては、ＴＳ信号の出力形式のいくつかを受け付けることができない場合がある。
【００２７】
なお、デジタル復調部２０２では、論理的に正しい動作を行ってＴＳ信号を出力し、ＣＡＭ２でも、論理的に正しい動作を行ってＴＳ信号を出力しており、双方の回路に異常があるわけではない。
【００２８】
上記のような現象は、ＦＴＶ２００内で出力するＴＳ信号のフォーマットと、ＣＡＭ２が出力するＴＳ信号のフォーマットとが一致しない相互運用性（Interoperability）の点で、信号の受け渡しが正常に行われず、異常が発生するのである。
【００２９】
ＴＳ信号のフォーマット不一致が生じた場合、従来では、ユーザからの問い合わせを受けた際、現地のサービス担当が、問題を引き起こしているＣＡＭ２に適合するフォーマットをＦＴＶ２００に再選定するなどして対応していた。このため、ユーザからの問い合わせを受けてから、問題を解決するまでに時間を要しており、より効率的な解決方法が望まれている。
【００３０】
本技術はこのような点に鑑みてなされたものであり、ＣＡＭ２で生じたデータ異常（エラー）を検出して、デジタル復調部からの出力フォーマットを最適な状態とする変更制御を行って、信号フォーマットの不整合を自動的に補償する情報処理装置、信号形式変更方法、プログラムおよび映像表示装置を提供するものである。
【００３１】
次に情報処理装置１の機能を適用した映像表示装置について説明する。図３は映像表示装置の構成例を示す図である。映像表示装置１ａは、ＲＦチューナ１０、デジタル復調部２０、映像処理部３０、液晶パネル４０およびアンテナａ１を備える。映像表示装置１ａは、例えば、ＦＴＶに該当する。
【００３２】
また、デジタル復調部２０は、復調部２１、ＦＥＣ（Forward Error Correction）部２２、出力Ｉ／Ｆ（インタフェース）部２３を含む。映像処理部３０は、Ｓ／Ｐ（シリアル／パラレル）変換部３１、ビデオデコーダ３２、画質／音質処理部３３および制御部（ＣＰＵ）３４を含む。
【００３３】
なお、映像処理部３０では、１チップＩＣ（Integrated Circuit）化されており、Ｓ／Ｐ変換部３１、ビデオデコーダ３２、デコード後の画音情報の最適化を図る画質／音質処理部３３、さらに全体制御を行う制御部３４もこのＩＣ内に含まれている。
【００３４】
アンテナａ１で受信された電波信号は、ＲＦチューナ１０に入力する。ＲＦチューナ１０は、アンテナａ１での受信信号をダウンコンバートし、チューニングされている所望のチャンネルの信号を選択して出力する。
【００３５】
復調部２１は、ＲＦチューナ１０から出力された変調信号をデジタル復調する。ＦＥＣ部２２は、復調部２１から出力されたデジタル信号に含まれる伝送誤り情報の訂正を行う。
【００３６】
出力Ｉ／Ｆ部２３は、誤り訂正後のＴＳ信号に対し、出力インタフェース処理を行う。具体的には、制御部３４からの変更指示にもとづいて、デジタルのＴＳ信号のフォーマットを適切に変更して出力する。ＴＳ信号のフォーマットのパターン例については図４〜図７で後述する。
【００３７】
映像処理部３０内のＳ／Ｐ変換部３１は、デジタル復調部２０から出力されたシリアルのＴＳ信号をパラレル信号に変換し、映像表示装置１ａのスロット（図示せず）に挿入されているＣＡＭ２へ向けて送信される。
【００３８】
放送番組信号であるＴＳ信号には、スクランブルがかけられているので、ＣＡＭ２は、信号処理として、受信したＴＳ信号のデスクランブルを行う。デスクランブル後のシリアルのＴＳ信号は、ＣＡＭ２からビデオデコーダ３２へ送信される。
【００３９】
なお、ＣＡＭ２の出力が、パラレルの場合は、パラレル／シリアル変換を行う構成要素がＣＡＭ２とビデオデコーダ３２との間に設けられ、パラレル／シリアル変換された後のＴＳ信号がビデオデコーダ３２へ送信される。
【００４０】
ビデオデコーダ３２は、ＣＡＭ２から出力されたＴＳ信号をデコードする。画質／音質処理部３３は、映像および音声を含むデコード信号に対して、高画質化および高音質化にするための所定の処理を施す。液晶パネル４０は、映像信号を表示する。
【００４１】
制御部３４は、デジタル復調部２０やビデオデコーダ３２などの装置内の各構成要素の制御を行う。具体的には、各デバイスへ電源投入時に必要な初期設定データを送出するための処理や、受信処理、番組視聴処理の制御、または各デバイスからのステータス情報を拾い上げる処理を行う。
【００４２】
例えば、伝送されてきた信号にエラー情報があり、これをＦＥＣ部２２でエラー訂正処理を施した際に、エラー情報が完全に訂正できたか、または訂正しきれないエラーがあったかを示すフラグ情報をＦＥＣ部２２は提供する仕組みを持っている。このため、制御部３４は、定期的なポーリング処理によって、ＦＥＣ部２２からの情報を受け取る処理を行う。
【００４３】
同様に、ビデオデコーダ３２でも映像処理している情報に含まれるエラーの有無を知らせるフラグを有しているため、制御部３４は、この情報を定期的に受け取る処理を行っている。
【００４４】
なお、映像表示装置１ａ内のＴＳ信号の流れとしては、出力Ｉ／Ｆ部２３から映像処理部３０へ一旦入力し、Ｓ／Ｐ変換部３１を通り、ＣＡＭ２へ入力される。そして、ＣＡＭ２で有料番組に施されているスクランブル処理が解かれて、また映像処理部３０へ戻される。そして、ビデオデコーダ３２および画質／音質処理３３で所定の処理が施された後に、最終的に液晶パネル４０で表示される。
【００４５】
次にＴＳ信号のフォーマットについて説明する。デジタル復調部２０から出力されるＴＳ信号のフォーマットは、デバイスの設計構成によって様々な種類がある。
【００４６】
図４〜図７はＴＳ信号のフォーマットのパターン例を示す図である。図４のＴＳ信号ｓ１は、ＴＳＣＬＫ、ＴＳＳＹＮＣ、ＴＳＤＡＴＡおよびＴＳＶＡＬＩＤの各信号を含むパケット信号でありパラレル形式になっている。
【００４７】
ＴＳＣＬＫは、クロック信号である。ＴＳＳＹＮＣは、同期信号であり、ＴＳパケットの最初のビットまたはバイトを指し示す。ＴＳＤＡＴＡは、データである。
【００４８】
ＴＳＤＡＴＡは、１８８バイトのデータと、１６バイトのパリティとを含み、１８８バイトのデータの後に１６バイトのパリティが付加されている（パリティ区間が無い場合もある）。
【００４９】
ＴＳＶＡＬＩＤは、データの有効部分を示す信号である。例えば、ＴＳＶＡＬＩＤがＨレベルの区間にあるデータは有効であり、ＴＳＶＡＬＩＤがＬレベルの区間にあるデータは無効となる。
【００５０】
なお、パリティの後には、数ビットまたは数バイトのパケットギャップがあり、パケットギャップの終了後に、次のＴＳ信号のパケットが出力されることになる。
【００５１】
図５のＴＳ信号ｓ２は、ＴＳＣＬＫ、ＴＳＳＹＮＣ、ＴＳＤＡＴＡおよびＴＳＶＡＬＩＤの各信号を含み、１８８バイトのデータ、１６バイトのパリティおよびパケットギャップを含むパケット信号であり、シリアル形式になっている。また、図５のＴＳ信号ｓ２では、ＴＳＶＡＬＩＤがＨレベルであっても、無効データに対しては、ＴＳＣＬＫ出力が停止し、無効データ区間の間（バイトギャップ）、ＴＳＣＬＫは、Ｌレベルになるフォーマットになっている。
【００５２】
図６のＴＳ信号ｓ３は、ＴＳＣＬＫ、ＴＳＳＹＮＣ、ＴＳＤＡＴＡおよびＴＳＶＡＬＩＤの各信号を含み、１８８バイトのデータを含むパケット信号であり、シリアル形式になっている。また、図６のＴＳ信号ｓ３では、無効データに対しては、ＴＳＣＬＫは連続して出力するが、無効データ区間の間、ＴＳＶＡＬＩＤがＬレベルになるフォーマットになっている。
【００５３】
図７のＴＳ信号ｓ４は、ＴＳＣＬＫ、ＴＳＳＹＮＣ、ＴＳＤＡＴＡおよびＴＳＶＡＬＩＤの各信号を含み、１８８バイトのデータおよび１６バイトのパリティを含むパケット信号であり、シリアル形式になっている。また、図７のＴＳ信号ｓ４では、無効データに対しては、ＴＳＣＬＫ出力が停止し、無効データ区間の間（バイトギャップ）、ＴＳＣＬＫはＨレベルになり、かつＴＳＶＡＬＩＤもＬレベルになるフォーマットになっている。
【００５４】
このように、デジタル復調部２０から出力されるＴＳ信号のフォーマットは、様々な形態があり、パラレル形式で出力する場合（図４）、シリアル形式で出力する場合（図５〜図７）、またそれぞれの形式において、クロック信号（ＴＳＣＬＫ）、データ（ＴＳＤＡＴＡ）、制御信号（ＴＳＳＹＮＣ、ＴＳＶＬＩＤ）の形態も複数存在している。これらはデジタル復調部２０の出力Ｉ／Ｆ部２３における設定によって変更される。
【００５５】
次にＴＳ信号フォーマット変換の動作について説明する。図８はＴＳ信号フォーマット変換の動作を示すフローチャートである。
【００５６】
〔Ｓ１〕制御部３４は、ＦＥＣエラーの検出を行い、伝搬環境上でのエラー発生の有無を検出する。
【００５７】
ここで、デジタル復調部２０内のＦＥＣ部２２で検出された伝送エラー情報は、制御部３４へ送信される。制御部３４は、送信された伝送エラー情報にもとづいて、ＴＳ信号中のすべての伝送エラーが訂正されたか、訂正しきれないエラーが残されているかを判断する。
【００５８】
伝送エラー情報は、ＦＥＣ部２２内部で適宜更新されているので、制御部３４は、適当な間隔で、伝送エラー情報を取り込む処理を行う。そして、制御部３４によって、伝送エラーが残されていると認識された場合は、このエラーは後段の処理でも残され、最終的には液晶パネル４０で表示される画音にノイズとして現れる。
【００５９】
この場合には、ＣＡＭ２とのＴＳ信号のフォーマット不整合が原因で、エラーが発生している訳ではないので、ステップＳ１の動作に戻ることになる。また、制御部３４が伝送エラーは無い（すべての伝送誤り情報は訂正された）と認識した場合には、ステップＳ２へ行く。
【００６０】
〔Ｓ２〕制御部３４は、ビデオデコーダ３２から送信されるエラー情報を検出する。
【００６１】
ここで、ビデオデコーダ３２では、ＴＳ信号中に含まれる画音のデジタル圧縮データ（ＭＰＥＧ２（Moving Picture Experts Group 2）形式など）内に、何らかの形式違反データがある場合、圧縮データ形式内の誤り検出情報を基にして、これを検出することができる。誤り検出情報としては、例えば、ＣＲＣ（Cyclic Redundancy Check）符号情報などがある。
【００６２】
制御部３４によってエラー情報が検出されなかった場合、ＣＡＭ２では、期待通りの処理ができたと考えられる。すなわち、デジタル復調部２０が出力したＴＳ信号のフォーマットと、ＣＡＭ２がデスクランブル処理するＴＳ信号のフォーマットとが一致していると考えられる。この場合は、ステップＳ１へ戻る。
【００６３】
また、ステップＳ２において、制御部３４によってエラー情報が検出された場合は、ＦＥＣエラーが無いと判断されたにもかかわらず、ビデオデコーダ３２でエラーが検出されたということになる。この場合、デジタル復調部２０と、映像処理部３０との間に位置するＣＡＭ２でエラーが生成されたと考えられる。
【００６４】
したがって、ＦＥＣエラーは無いが、ビデオデコーダ３０での処理時にエラーが検出された場合は、制御部３４は、デジタル復調部２０が出力したＴＳ信号のフォーマットと、ＣＡＭ２がデスクランブル処理するＴＳ信号のフォーマットとが不一致であると推定して、ステップＳ３の処理へ行く。
【００６５】
〔Ｓ３〕制御部３４は、エラーカウンタを有し、ビデオデコーダ３２のエラーをカウントする。ステップＳ３の処理は、ステップＳ２の推定確度を高めるための処理である。
【００６６】
ここで、映像表示装置１ａが正常な動作状態にある場合には、通常は、信号パス上でエラーが発生する確率は低い。信号パスとは、出力Ｉ／Ｆ部２３→Ｓ／Ｐ変換部３１→ＣＡＭ２→ビデオデコーダ３２のルートである。
【００６７】
ただし、何らかの突発的な外来ノイズなどが信号パス上で発生する可能性もあるので、制御部３４では、このような単発的な障害を、ＴＳ信号のフォーマット不一致とみなさないように排除する。
【００６８】
ＣＡＭ２とのＴＳ信号のフォーマット不整合でエラーが発生している場合には、単発的なエラーではなく、常時、または定期的にビデオデコーダ３２からエラー情報が送信されることになる。このため、制御部３４では、あらかじめ決めた所定の回数分、ビデオデコーダ３２からエラー情報が送信された場合に、ＴＳ信号のフォーマット不整合と認識する。
【００６９】
したがって、制御部３４は、エラーカウント数が所定値に達しない場合は、ステップＳ１へ戻り、所定値に達した場合はステップＳ４へ行く。
【００７０】
〔Ｓ４〕制御部３４は、出力Ｉ／Ｆ部２３に対して、ＴＳ信号のフォーマット変更指示を送信する。
【００７１】
ここで、制御部３４は、ＴＳ信号のフォーマット不一致を所定の回数検出し、デジタル復調部２０が出力している現在のＴＳ信号フォーマットが、ＣＡＭ２が処理可能なＴＳ信号のフォーマットと一致していない旨を認識する。
【００７２】
すると、制御部３４は、出力Ｉ／Ｆ部２３に対して、現在出力しているＴＳ信号のフォーマットとは別のフォーマットへ変更する指示を与える。出力Ｉ／Ｆ部２３は、制御部３４からの指示にもとづいて、ＴＳ信号のフォーマット変換を行い、あらたなフォーマットのＴＳ信号を出力する。
【００７３】
そして、変更されたあらたなＴＳ信号の出力フォーマットにて、再度、ステップ１からの手順が試される。ＦＥＣエラーが無く、ビデオデコーダ３２でのエラーもなければ、出力Ｉ／Ｆ部２３から出力している現時点のＴＳ信号のフォーマットで最終的に決定される。または、ＦＥＣエラーが無いが、ビデオデコーダ３２でのエラーが有る場合は、上述のスイッチＳ１〜Ｓ４と同じ手順によって、また別のＴＳ信号のフォーマットに変更されることになる。
【００７４】
以上説明したように、制御部３４は、デジタル復調部２０とＣＡＭ２の後段にあるビデオデコーダ３２との双方でデータのエラー情報を確認する。そして、制御部３４は、デジタル復調部２０側でエラーが無く、ビデオデコーダ３２側でエラーが検出された場合には、ＴＳ信号の信号形式が不整合とみなして、デジタル復調部２０からのＴＳ信号の信号形式を変更する構成とした。
【００７５】
これにより、信号形式の不整合を自動的に補償することが可能になり、ユーザは、何の不都合もなく、スクランブルがかかった有料デジタル番組を視聴することができる。
【００７６】
次に情報処理装置１および映像表示装置１ａのコンピュータのハードウェア構成について説明する。図９は本実施の形態に用いるコンピュータのハードウェアの一構成例を示す図である。コンピュータ１００は、プロセッサ１０１によって装置全体が制御されている。プロセッサ１０１には、バス１０９を介してＲＡＭ（Random Access Memory）１０２と複数の周辺機器が接続されている。プロセッサ１０１は、マルチプロセッサであってもよい。プロセッサ１０１は、例えばＣＰＵ、ＭＰＵ（Micro Processing Unit）、ＤＳＰ（Digital Signal Processor）、ＡＳＩＣ（Application Specific Integrated Circuit）、またはＰＬＤ（Programmable Logic Device）である。またプロセッサ１０１は、ＣＰＵ、ＭＰＵ、ＤＳＰ、ＡＳＩＣ、ＰＬＤのうちの２以上の要素の組み合わせであってもよい。
【００７７】
ＲＡＭ１０２は、コンピュータ１００の主記憶装置として使用される。ＲＡＭ１０２には、プロセッサ１０１に実行させるＯＳ（Operating System）のプログラムやアプリケーションプログラムの少なくとも一部が一時的に格納される。また、ＲＡＭ１０２には、プロセッサ１０１による処理に必要な各種データが格納される。
【００７８】
バス１０９に接続されている周辺機器としては、ＨＤＤ（Hard Disk Drive）１０３、グラフィック処理装置１０４、入力インタフェース１０５、光学ドライブ装置１０６、機器接続インタフェース１０７およびネットワークインタフェース１０８がある。
【００７９】
ＨＤＤ１０３は、内蔵したディスクに対して、磁気的にデータの書き込みおよび読み出しを行う。ＨＤＤ１０３は、コンピュータ１００の補助記憶装置として使用される。ＨＤＤ１０３には、ＯＳのプログラム、アプリケーションプログラム、および各種データが格納される。なお、補助記憶装置としては、フラッシュメモリなどの半導体記憶装置を使用することもできる。
【００８０】
グラフィック処理装置１０４には、モニタ１２１が接続されている。グラフィック処理装置１０４は、プロセッサ１０１からの命令に従って、画像をモニタ１２１の画面に表示させる。モニタ１２１としては、ＣＲＴ（Cathode Ray Tube）を用いた表示装置や液晶表示装置などがある。
【００８１】
入力インタフェース１０５には、キーボード１２２とマウス１２３とが接続されている。入力インタフェース１０５は、キーボード１２２やマウス１２３から送られてくる信号をプロセッサ１０１に送信する。なお、マウス１２３は、ポインティングデバイスの一例であり、他のポインティングデバイスを使用することもできる。他のポインティングデバイスとしては、タッチパネル、タブレット、タッチパッド、トラックボールなどがある。
【００８２】
光学ドライブ装置１０６は、レーザ光などを利用して、光ディスク１２４に記録されたデータの読み取りを行う。光ディスク１２４は、光の反射によって読み取り可能なようにデータが記録された可搬型の記録媒体である。光ディスク１２４には、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００８３】
機器接続インタフェース１０７は、コンピュータ１００に周辺機器を接続するための通信インタフェースである。例えば機器接続インタフェース１０７には、メモリ装置１２５やメモリリーダライタ１２６を接続することができる。メモリ装置１２５は、機器接続インタフェース１０７との通信機能を搭載した記録媒体である。メモリリーダライタ１２６は、メモリカード１２７へのデータの書き込み、またはメモリカード１２７からのデータの読み出しを行う装置である。メモリカード１２７は、カード型の記録媒体である。
【００８４】
ネットワークインタフェース１０８は、ネットワーク１１０に接続されている。ネットワークインタフェース１０８は、ネットワーク１１０を介して、他のコンピュータまたは通信機器との間でデータの送受信を行う。
【００８５】
以上のようなハードウェア構成によって、本実施の形態の処理機能を実現することができる。また、コンピュータで本実施の形態の処理機能を実現する場合、情報処理装置１の制御部１ｂまたは映像表示装置１ａの制御部３４が有する機能の処理内容を記述したプログラムが提供される。
【００８６】
そのプログラムをコンピュータで実行することにより、上記処理機能がコンピュータ上で実現される。処理内容を記述したプログラムは、コンピュータで読み取り可能な記録媒体に記録しておくことができる。
【００８７】
コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto Optical disk）などがある。なお、プログラムを記録する記録媒体には、一時的な伝搬信号自体は含まれない。
【００８８】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００８９】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。
【００９０】
なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９１】
また、上記の処理機能の少なくとも一部を、ＤＳＰ、ＡＳＩＣ、ＰＬＤなどの電子回路で実現することもできる。
【００９２】
なお、本技術は以下のような構成も採ることができる。
（１）  入力信号の受信処理を行って情報信号を生成し、変更指示にもとづいて、現在出力している前記情報信号の信号形式を、別の信号形式に変更して、外付けユニットへ出力する受信処理部と、
前記受信処理部から出力された前記情報信号を受信し、自己で処理することが可能な信号形式を持つ前記情報信号の信号処理を行う前記外付けユニットに対して、前記信号処理が正常に実行されず、信号処理エラーの発生を認識した場合には、前記変更指示を送出する制御部と、
を有する情報処理装置。
（２）  前記受信処理部は、前記入力信号の伝送路上で生じる伝送エラーの検出処理を行って、検出結果を前記制御部へ通知し、
前記制御部は、前記伝送エラーの検出通知が無く、前記信号処理エラーの発生を認識した場合には、前記受信処理部で出力している前記情報信号の信号形式と、前記外付けユニットで処理可能な信号形式とが不整合であるとみなし、前記変更指示を送出して、前記受信処理部で出力している前記情報信号の信号形式と、前記外付けユニットで処理可能な信号形式との整合を図る前記（１）記載の情報処理装置。
（３）  前記制御部は、前記信号処理エラーの発生回数が、あらかじめ定めた所定回数に達した場合に、前記変更指示を送出する前記（１）または（２）記載の情報処理装置。
（４）  自己で処理することが可能な信号形式を持つ情報信号の信号処理を行う外付けユニットに対して、入力信号の受信処理を行って前記情報信号を生成して前記外付けユニットへ出力し、
前記外付けユニットで前記信号処理が正常に実行されず、信号処理エラーの発生を認識した場合には、変更指示を生成し、
前記変更指示にもとづいて、現在出力している前記情報信号の信号形式を、別の信号形式に変更する信号形式変更方法。
（５）  コンピュータに、
自己で処理することが可能な信号形式を持つ情報信号の信号処理を行う外付けユニットに対して、入力信号の受信処理を行って前記情報信号を生成して前記外付けユニットへ出力し、
前記外付けユニットで前記信号処理が正常に実行されず、信号処理エラーの発生を認識した場合には、変更指示を生成し、
前記変更指示にもとづいて、現在出力している前記情報信号の信号形式を、別の信号形式に変更する、
処理を実行させるプログラム。
（６）  暗号化が施された映像情報を含む変調信号の復調処理を行って、復調信号を生成し、変更指示にもとづいて、現在出力している前記復調信号の信号形式を、別の信号形式に変更して外付けユニットへ出力する復調部と、
前記復調部から出力された前記復調信号を受信し、自己で処理することが可能な信号形式を持つ前記復調信号の暗号化解除を行う前記外付けユニットに対して、前記暗号化解除が正常に実行されなかったことを認識した場合には、前記変更指示を送出する制御部と、
前記外付けユニットからの出力信号の映像処理を行う映像処理部と、
前記映像処理後の映像を表示する表示部と、
を有する映像表示装置。
（７）  前記復調部は、前記変調信号の伝送路上で生じる伝送エラーの検出処理を行って、検出結果を前記制御部へ通知し、
前記映像処理部は、映像処理エラーの検出処理を行って、検出結果を前記制御部へ通知し、
前記制御部は、前記伝送エラーの検出通知が無く、前記映像処理エラーの検出通知があった場合には、前記復調部で出力している前記復調信号の信号形式と、前記外付けユニットで処理可能な信号形式とが不整合であるとみなし、前記変更指示を送出して、前記復調部で出力している前記復調信号の信号形式と、前記外付けユニットで処理可能な信号形式との整合を図る前記（６）記載の映像表示装置。
（８）  前記制御部は、前記映像処理エラーの通知回数が、あらかじめ定めた所定回数に達した場合に、前記変更指示を送出する前記（６）または（７）記載の映像表示装置。
【００９３】
なお、上述の実施の形態は、実施の形態の要旨を逸脱しない範囲内において種々の変更を加えることができる。
【００９４】
さらに、上述の実施の形態は、多数の変形、変更が当業者にとって可能であり、説明した正確な構成および応用例に限定されるものではない。
【符号の説明】
【００９５】
１……情報処理装置、１ａ……受信処理部、１ｂ……制御部、２ａ……外付けユニット
【図１】
2014007446.tif 000003
【図２】
2014007446.tif 000004
【図３】
2014007446.tif 000005
【図４】
2014007446.tif 000006
【図５】
2014007446.tif 000007
【図６】
2014007446.tif 000008
【図７】
2014007446.tif 000009
【図８】
2014007446.tif 000010
【図９】
2014007446.tif 000011